(57)【要約】【課題】マニホールドベースに対する多数の電磁弁の一層の集約的搭載を実現し、マニホールドバルブとしての十分な小型化を図ったユニットマニホールドバルブを提供する。【解決手段】マニホールドベース３１は、基盤３２上の電磁弁取付ボディ３３に、多数の電磁弁５を取付ける電磁弁取付面４１ａを設け、そのボディの内部に、該取付面の流路の開口を基盤の下面に配列状態で突出する管接手４３，４４，４５ａ，４５ｂに連通させ、電磁弁取付ボディの上に、各電磁弁５への通電を制御する基板組立体３６を載置する基板取付部３４を備える。基板組立体３６は、基板３６ａ上に各電磁弁に給電する給電用コネクタ３６ｂを備える。マニホールドベース３１上の電磁弁５及び基板組立体３６を全体的に覆うカバー５０を備える。【選択図】　　　　図７
2004011858.tif 000002
【特許請求の範囲】
【請求項１】
基盤上の電磁弁取付ボディに、多数の電磁弁を取付可能にした互いに背向する電磁弁取付面を設けると共に、その内部に、該取付面に設けた流路の開口を基盤の下面に配列状態で突出する管接手に連通させて、各電磁弁に対する圧力流体の給排を行う流路を形成させ、且つ、上記電磁弁取付ボディの上に、上記各電磁弁への通電を制御する基板組立体を載置するための基板取付部を備えたマニホールドベース、
基板上に各電磁弁に対して給電するための給電用コネクタを備え、上記基板取付部に取付けられる基板組立体、
上記電磁弁取付面の開口に各ポートを連通させて取付けると同時に、上記基板組立体の給電用コネクタに給電端子が接続される多数の電磁弁、並びに、
上記電磁弁及び基板組立体を全体的に覆うカバー、
を備えたことを特徴とするユニットマニホールドバルブ。
【請求項２】
マニホールドベースにおける基盤の下面に接手用プレートを接合し、
上記接手用プレートには、その下面に先端が突出する多数の外部配管用管継手の基端を該プレート上面に突出させて設け、
上記基盤の下面に開口する流路は、該下面の接手接合孔内に開口させ、
基盤の下面への上記プレートの接合に際して該管接手の基端を一括して基盤の接手接合孔内にシールを介して嵌入可能にした、
ことを特徴とする請求項１に記載のユニットマニホールドバルブ。
【請求項３】
両側に電磁弁取付面を有する電磁弁取付ボディの両端の該取付面の電磁弁取付部分を越えた位置に、基板組立体の支持を行う基板取付部を立設し、該基板取付部の上方に位置するように、基板上に各給電用コネクタに接続された外部接続コネクタを設け、カバーに設けた導出孔からその外部接続コネクタを突出させた、ことを特徴とする請求項１または２に記載のユニットマニホールドバルブ。
【請求項４】
カバーを相互に接合される複数のカバー片の接合により構成した、
ことを特徴とする請求項１乃至３のいずれかに記載のユニットマニホールドバルブ。
【請求項５】
カバーを透明または透光性材料により形成した、
ことを特徴とする請求項１乃至４のいずれかに記載のユニットマニホールドバルブ。
【発明の詳細な説明】
【０００１】
【発明の属する技術分野】
本発明は、多数の電磁弁をマニホールドベースに簡易に搭載できるようにし、しかも、その全体の流体圧機器に対する装着を容易にしたユニットマニホールドバルブに関するものである。
【０００２】
【従来の技術】
従来から一般的に知られているマニホールドバルブでは、盤状のマニホールドベース上に多数の電磁弁を並設し、マニホールドベース内を通して圧力流体を給排すると共に、該マニホールドベースまたは電磁弁自体に出力配管を接続するようにしている。
【０００３】
しかしながら、上記公知のマニホールドバルブでは、出力配管を各種流体圧機器と個別的に接続するのが通例であり、その配管に面倒な作業を要するばかりでなく、作業者の不注意で誤配管する可能性もあった。
また、多数の電磁弁を単列で並設しているため、マニホールドベースは少なくとも電磁弁の巾に電磁弁数を乗じた長さ以上の長さを必要とし、電磁弁数が多くなるとそれが長大化するため、複数のマニホールドバルブを用いる必要が生じるなどの問題もあり、多数の電磁弁を搭載したマニホールドバルブとしての一層の小型化が望まれていた。
【０００４】
【発明が解決しようとする課題】
本発明の技術的課題は、マニホールドベースの構造の改善により、該マニホールドベースに対する多数の電磁弁の一層の集約的搭載を実現し、それによって、マニホールドバルブとしての十分な小型化を図ったユニットマニホールドバルブを提供することにある。
本発明の他の技術的課題は、マニホールドバルブにおける各電磁弁の配管作業が容易で、しかも誤配管の可能性を著しく低減したユニットマニホールドバルブを提供することにある。
【０００５】
本発明の他の技術的課題は、電磁弁の配管はそのままにして電磁弁搭載マニホールドベースの着脱を可能とし、それによって、個々の電磁弁や電磁弁搭載マニホールドベースの修理、交換を容易にしたユニットマニホールドバルブを提供することにある。
本発明の更に他の技術的課題は、上記マニホールドベースに対する多数の電磁弁の集約的搭載に伴い、防塵あるいは防水のための小型のカバーを簡単に覆設できるようにしたユニットマニホールドバルブを提供することにある。
【０００６】
【課題を解決するための手段】
上記課題を解決するための本発明のユニットマニホールドバルブは、基盤上の電磁弁取付ボディに、多数の電磁弁を取付可能にした互いに背向する電磁弁取付面を設けると共に、その内部に、該取付面に設けた流路の開口を基盤の下面に配列状態で突出する管接手に連通させて、各電磁弁に対する圧力流体の給排を行う流路を形成させ、且つ、上記電磁弁取付ボディの上に、上記各電磁弁への通電を制御する基板組立体を載置するための基板取付部を備えたマニホールドベース、基板上に各電磁弁に対して給電するための給電用コネクタを備え、上記基板取付部に取付けられる基板組立体、上記電磁弁取付面の開口に各ポートを連通させて取付けると同時に、上記基板組立体の給電用コネクタに給電端子が接続される多数の電磁弁、並びに、上記電磁弁及び基板組立体を全体的に覆うカバーを備えたことを特徴とするものである。
【０００７】
上記構成を有する本発明のユニットマニホールドバルブは、電磁弁に給排するための圧力流体の流路を内部に形成したマニホールドベースの周囲の面を有効に活用し、その周囲に可及的に多くの電磁弁をコンパクトに搭載すべく、基盤上の電磁弁取付ボディに互いに背向する電磁弁取付面を設けると共に、その内部に、該取付面に設けた流路の開口を基盤の下面に突出する管接手に連通させているので、マニホールドベースに対する多数の電磁弁の一層の集約的搭載を行うことができ、それによって、マニホールドバルブとしての十分な小型化を図ることができ、防塵あるいは防水のための小型のカバーを簡単に覆設することができる。
【０００８】
上記カバーは、相互に接合される複数のカバー片の接合により構成することができ、また、該カバーの全部または一部を、無色若しくは着色透明材または透光性材料により形成し、内部を透視可能にすることもできる。
【０００９】
しかも、上記電磁弁取付ボディ内に設けた流路を基盤の下面に突出する管接手に連通させ、該基盤の下面に管接手を配列設置しているので、マニホールドバルブにおける各電磁弁と流体圧機器との間の配管作業が容易で、誤配管の可能性も低減することができる。
また、上記電磁弁取付ボディの上に基板取付部を設けて、各電磁弁への通電を制御する基板組立体を載置し、その基板上に各電磁弁への給電用コネクタを設けて、電磁弁を電磁弁取付面に取付けると同時に上記給電用コネクタに給電端子が接続できるようにしているので、電磁弁の装着が著しく簡単化される。
【００１０】
上述した本発明のユニットマニホールドバルブにおいては、マニホールドベースにおける基盤の下面に接手用プレートを接合し、上記接手用プレートには、その下面に先端が突出する多数の外部配管用管継手の基端を該プレート上面に突出させて設け、上記基盤の下面に開口する流路は、該下面の接手接合孔内に開口させ、基盤の下面への上記プレートの接合に際して該管接手の基端を一括して基盤の接手接合孔内にシールを介して嵌入可能にするのが望ましく、それにより、電磁弁の配管はそのままにして電磁弁搭載マニホールドベースだけの着脱が可能になり、個々の電磁弁や電磁弁搭載マニホールドベースの修理、交換を容易に行うことが可能になる。
【００１１】
また、本発明の好ましい実施形態においては、両側に電磁弁取付面を有する電磁弁取付ボディの両端の該取付面の電磁弁取付部分を越えた位置に、基板組立体の支持を行う基板取付部を立設し、該基板取付部の上方に位置するように、基板上に各給電用コネクタに接続された外部接続コネクタを設け、カバーに設けた導出孔からその外部接続コネクタを突出させるように配設される。これにより、外部接続コネクタの支持を安定化させることができる。
【００１２】
【発明の実施の形態】
図１乃至図４は、本発明に係るユニットマニホールドバルブの第１実施例を示すもので、このユニットマニホールドバルブにおけるマニホールドベース１は、下部の基盤２と、多数の電磁弁５を搭載する該基盤２上の電磁弁取付ボディ３と、基板組立体６を載置するための基板取付部４とを、一体的に形成することにより構成している。
【００１３】
上記マニホールドベース１における電磁弁取付ボディ３は、多数の電磁弁５を並べて取付可能にした互いに背向する二つの電磁弁取付面１１ａ，１１ｂを基盤２から立ち上がるように形成したもので、その内部には各電磁弁に対して圧力流体の給排を行う流路を設けている。
即ち、該取付面１１ａ，１１ｂにおける各電磁弁５の取付位置には、取付けられる各電磁弁５に対して圧力流体の給排を行う流路の開口１２ｐ，１２ｒ，１２ａをそれぞれ設け、これらの開口は、電磁弁取付ボディ３内の流路を経て、基盤２の下面に配列状態で突出させた管接手１３，１４，１５ａ，１５ｂに連通させている。
【００１４】
更に具体的に説明すると、上記取付面１１ａ，１１ｂにおける各電磁弁５への圧力流体の供給用及び排出用の流路の開口１２ｐ，１２ｒは、供給用流路及び排出用流路のそれぞれをまとめて、基盤２の下面に配列状態で突出させた管接手のうちの両端に配置した管接手１３または１４に連通させている。また、電磁弁取付面１１ａ，１１ｂにおける各電磁弁５の出力用の開口１２ａは、図２に示すように、電磁弁取付ボディ３内の流路により、各電磁弁５に対応する位置における基盤２の下面に対をなす配列状態で突出させた管接手１５ａ，１５ｂに、それぞれ連通させている。
【００１５】
上記電磁弁５は、何れも、給電端子５ｂから通電されるソレノイドを備えた電磁駆動部５ａと、それに対する通電により駆動されて出力ポートを供給ポートと排出ポートのいずれかに切換え連通させる弁部５ｃとを備えたものであり、それらの弁部５ｃにおける各ポートを、電磁弁取付面１１ａ，１１ｂにおける所定の開口１２ｐ，１２ｒ，１２ａにそれぞれ連通させて、該電磁弁取付面１１ａ，１１ｂに取付けられるものである。
なお、これらの電磁弁５は、上述した３ポート弁に限定されるものではなく、４または５ポート弁として構成することもできるが、この場合には電磁弁取付面１１ａ，１１ｂに必要な流路を設け、それを基盤２の下面に設けた管接手に連通させる必要がある。
【００１６】
また、上記マニホールドベース１は、電磁弁取付ボディ３の上に各電磁弁５への通電を制御する基板組立体６を載置するための基板取付部４を一体的に備えている。この基板取付け部４は、四角状をなす基板組立体６の四隅を支持する支持柱状をなすものとして示しているが、それに限らず、適宜形状をとることができるものである。
【００１７】
上記基板取付部４に支持される基板組立体６は、上記各電磁弁５への通電を制御する電気的回路及び電子部品等を備えた基板６ａ上に、各電磁弁５に対応し、それらに対して前記給電端子５ｂを通して給電するための給電用コネクタ６ｂを備え、更に、該基板６ａ上の電気的回路によって各給電用コネクタ６ｂに電気的に接続された外部接続コネクタ６ｃを、該基板６ａの一端部側に設けると共に、該基板６ａの他端部側にそれぞれの電磁弁５の動作状態を発光表示する手段としての発光素子６ｄを設けている。
【００１８】
上記電磁弁５の多数は、それらの弁部５ｃを、電磁弁取付ボディ３の電磁弁取付面１１ａ，１１ｂにおける開口１２ｐ，１２ｒ，１２ａに各ポートを連通させて、該電磁弁取付ボディ３に取付けると同時に、各電磁駆動部５ａにおける給電端子５ｂを、上記基板組立体６の給電用コネクタ６ｂにおける対向する端子孔に挿入したうえで、マニホールドベース１に取付けられるものである。そのため、上記基板組立体６における給電用コネクタ６ｂは、電磁弁取付面１１ａ，１１ｂに取付けた電磁弁５の給電端子５ｂに対応する位置に配置される必要がある。
このようにして、多数の電磁弁５を電磁弁取付ボディ３における一対の電磁弁取付面１１ａ，１１ｂにそれぞれ並べて取付けると同時に、上記基板６ａの両側に設けた給電用コネクタ６ｂに給電端子５ｂを接続すると、マニホールドベース１に対する電磁弁５の装着が著しく簡単化されるばかりでなく、従来の電磁弁を１列に並べてマニホールドベースに搭載する場合に比して、電磁弁取付部の長さを１／２にすることができる。
【００１９】
多数の電磁弁５の電磁弁取付ボディ３に対する取付けは、隣接する電磁弁５の弁部５ｃに設けた係合部に、取付金具１７の両端に設けた係止鈎１７ａを係止させるようにして、それらの取付金具１７を取付ねじ１９で電磁弁取付ボディ３のねじ穴３ａに締付け固定することにより行っている。この場合に、最外端の取付金具１８は、隣接する電磁弁がないので、係止鈎１８ａを一端のみに設け、他端側には電磁弁取付面１１ａ，１１ｂに達する支持壁１８ｂを設けている。
【００２０】
上述したように、電磁弁取付面１１ａ，１１ｂに多数の電磁弁５を並べて固定し、それらの電磁駆動部５ａの給電端子５ｂの位置に対応させて基板６ａ上に給電用コネクタ６ｂを設けると、基板６ａ上における前記外部接続コネクタ６ｃの設置位置は、基板６ａの一端部で、電磁弁取付ボディ３における電磁弁取付面１１ａ，１１ｂの電磁弁取付部分を側方に越えた位置に設けるのが望ましく、そのため、電磁弁取付ボディ３における該電磁弁取付部分の両側に基板組立体６の支持を行う基板取付部４を立設し、該基板取付部４の上方に位置させて基板６ａ上に外部接続コネクタ６ｃを設け、該基板取付部４に、外部接続コネクタ６ｃに対する外部からの端子接続力を支持する機能をも持たせている。基板取付部４に対する基板６ａの固定は、図１に示したように、相互の凹凸を係合させて行うのが望ましい。
【００２１】
上述したように、電磁弁取付ボディ３に互いに背向する電磁弁取付面１１ａ，１１ｂを設けると共に、その上部に基板組立体６を配設し、該取付面に多数の電磁弁５を配列状態で固定して、電磁弁取付ボディ３の内部に設けた流路により各電磁弁５のポートを下面の管接手に連通させると、マニホールドベース１に対する多数の電磁弁５の一層の集約的搭載を行うことができて、マニホールドバルブが極めてコンパクトで小型化されたものとなる。
【００２２】
そこで、上記電磁弁５及び基板組立体６には、それらをマニホールドベース１と共に全体的に覆う防塵用のカバー２０を設けている。このカバー２０には、前記外部接続コネクタ６ｃを突出させるための導出孔２０ａや取付孔２０ｂ、銘板貼着用凹部２０ｃ等が設けられる。該カバー２０は、その全部または一部を、無色若しくは着色透明材、または透明性が低下した透光性材料により形成し、内部の発光素子６ｄやその他の必要部分を透視可能にすることもできる。また、必要部分（部材の接合部等）にシールを介在させることにより、全体を防水型にすることもできる。
【００２３】
上記マニホールドベース１における基盤２には、その下面に直接的に外部配管用管接手を設けることもできるが、上記基盤２の下面に接手用プレート２２を接合し、該接手用プレート２２に多数の外部配管用管継手１３，１４，１５ａ，１５ｂを設けることができる。
この場合には、多数の外部配管用管継手１３，１４，１５ａ，１５ｂを、その基端を接手用プレート２２の上面に突出させると共に、その先端を該プレート２２の下面から突出させて止め輪２３により取付け、一方、上記マニホールドベース１の基盤２の下面に開口する流路は、該下面の接手接合孔２ａ内に開口させておき、基盤２の下面への上記プレート２２の接合に際しては、該管接手１３，１４，１５ａ，１５ｂの基端を一括して基盤２の接手接合孔２ａ内にシール２４を介して嵌入させる。
【００２４】
このような接手用プレート２２を用いて上記管接手を取付けると、該プレート２２を管接手と共に設置位置に残したままで、電磁弁搭載マニホールドベース１を取外すことができ、つまり、電磁弁５の配管はそのままにして電磁弁搭載マニホールドベース１だけの着脱が可能になり、個々の電磁弁や基板組立体、電磁弁搭載マニホールドベースの修理、交換を容易に行うことが可能になる。
【００２５】
上記電磁弁搭載マニホールドベース１、カバー２０及び接手用プレート２２の相互の固定は、マニホールドベース１とカバー２０とを予めねじ等により固定しておき（図示省略）、そのうえで、カバー２０の隅部に設けた取付孔２０ｂを通して接手用プレート２２のねじ穴２２ａに取付ねじ２５を螺挿することにより行っているが、必ずしもこれに限るものではない。なお、プレート２２の孔２２ｂは、このユニットマニホールドバルブを所要の設置位置に固定するための取付孔である。
【００２６】
次に、図５乃至図１０を参照して、本発明に係るユニットマニホールドバルブの第２実施例について説明する。
この第２実施例のユニットマニホールドバルブは、上記第１実施例と比較して電磁弁５の配列方向に長いマニホールドベース３１を備えている。該マニホールドベース３１は、前記第１実施例と実質的に同様であるが、基盤３２上に電磁弁取付ボディ３３を一体的に設け、該電磁弁取付ボディ３３上に基板組立体３６を載置するための基板取付部３４をねじ止めによって固定したもので、その電磁弁取付ボディ３３における互いに背向する電磁弁取付面４１ａ，４１ｂに、より多くの電磁弁５を搭載できるように、第１実施例に比して数倍の長さを持たせている。なお、図１では電磁弁取付面４１ａ，４１ｂにそれぞれ１個の電磁弁５を取付けるかの如く示しているが、他の電磁弁の描記を省略したものである。
【００２７】
この第２実施例のユニットマニホールドバルブは、上述のように、多くの電磁弁５をマニホールドベース３１に搭載できるようにしたものであるため、その電磁弁５の搭載数の増加に伴って第１実施例と部分的に構造が相違している。そこで、以下においては、主としてその構造の相違部分について説明し、第１実施例と実質的に同一の部分については説明を省略する。従って、説明のない部分は第１実施例と同様の構成及び作用を有するものと理解されるべきである。
【００２８】
上記マニホールドベース３１における電磁弁取付ボディ３３の内部には、各電磁弁５に対して圧力流体の給排を行う流路を設けているのは勿論であり、各電磁弁５の取付位置における流路の開口は、電磁弁取付ボディ３３内を経て基盤３２の下面に配列状態で突出させた管接手４３，４４、及び電磁弁の数に応じて設けた多数対の管接手４５ａ，４５ｂのそれぞれに連通させている。
一方、上記基板取付部３４上に支持される基板組立体３６は、基板３６ａ上に上記各電磁弁５に対応する給電用コネクタ３６ｂを備えているが、電磁弁５の数が多いことから、給電用コネクタ３６ｂの半数毎に基板３６ａの両端部に設けた二つの外部接続コネクタ３６ｃ，３６ｃに電気的に接続している。なお、片方の外部接続コネクタで十分な場合には、基板３６ａの他端部に外部接続コネクタを設ける必要がなく、必要に応じて第１実施例と同様に発光素子を設けることもできる。
【００２９】
上述したように、電磁弁取付面４１ａ，４１ｂに多数の電磁弁５を並べて取付け、電磁弁取付ボディ３３の内部に設けた流路により各電磁弁５のポートを基盤３２の下面の管接手に連通させると共に、それらの電磁駆動部５ａの給電端子５ｂの位置に対応させて設けた基板３６ａ上の給電用コネクタ３６ｂに該給電端子を接続すると、マニホールドベース３１に対する多数の電磁弁５の一層の集約的搭載を行うことができる。
【００３０】
上記電磁弁５及び基板組立体３６には、それらをマニホールドベース３１と共に全体的に覆う防塵用のカバー５０を設けているが、このカバー５０は、電磁弁の搭載数を異にするマニホールドベース３１に対応させるため、相互に接合される両端のカバー片５０ａ及びそれらの間に介装される複数のカバー片５０ｂの接合により構成している。カバー片５０ｂは、複数の電磁弁５（ここでは３個）を覆うような長さに形成されたものである。
【００３１】
上記カバー片５０ａは、マニホールドベース３１の両端部に設けるものであって、前記外部接続コネクタ３６ｃを突出させるための導出孔５１ａや取付孔５１ｂを設けている。また、カバー片５０ｂは、マニホールドベース３１の中間部分をカバーするもので、コ字状に形成している。これらの各カバー片５０ａ，５０ｂの接合部は、いずれも左右の一半の外周側に凸壁５２ａを設けて内周側に凹部５２ｂを形成し、他半は外周側に凹部５２ｄを形成して内周側に凸壁５２ｃを設け、カバー片５０ａとカバー片５０ｂ、またはカバー片５０ｂを相互に連結する際に、上記各凹部５２ｂ，５２ｄに他方のカバー片の各凸壁５２ｃ，５２ａが嵌入するようにしている。更に、これらのカバー片の接合部には、左右の一半に突子５２ｅ，５２ｅを突設すると共に、他半の対応位置に小孔５２ｆ，５２ｆを設け、カバー片を相互に接合する際に、それらの突子５２ｅが小孔５２ｆに嵌入するようにしている。
【００３２】
上記カバー片５０ａ，５０ｂのマニホールドベース３１に対する固定は、各カバー片の脚部内側に設けた凸条５２ｇを、マニホールドベース３１の基盤３２の側端に設けた凹溝３２ｂに嵌合させることによって行っているが、より一層の安定的な固定のために、両端のカバー片５０ａは、その隅部に設けた前記取付孔５１ｂを通して接手用プレート６２のねじ穴６２ａに取付ねじ６５を螺挿することにより固定している。
これらのカバー片５０ａ，５０ｂは、その全部または一部を、無色若しくは着色の透明材、または透明性が低下した透光性材料により形成することができる。
【００３３】
上記マニホールドベース３１における基盤３２には、第１実施例と同様に、その下面に直接的に外部配管用管接手を設けることもできるが、上記基盤３２の下面に接手用プレート６２を接合し、該接手用プレート６２に多数の外部配管用管継手４３，４４，４５ａ，４５ｂを設けることができる。
これらの外部配管用管継手の取付け構造は、第１実施例と同様である。
【００３４】
【発明の効果】
以上に詳述した本発明のユニットマニホールドバルブによれば、マニホールドベースに対する多数の電磁弁の一層の集約的搭載を実現し、それによって、マニホールドバルブとしての十分な小型化を図ると共に、各電磁弁の配管作業が容易で、しかも誤配管の可能性を著しく低減したユニットマニホールドバルブを得ることができる。また、上記マニホールドベースに対する多数の電磁弁の集約的搭載に伴い、防塵あるいは防水のための小型のカバーを簡単に覆設することができる。
【図面の簡単な説明】
【図１】本発明に係るユニットマニホールドバルブの第１実施例の要部分解斜視図である。
【図２】上記第１実施例の組立て状態の断面図である。
【図３】上記第１実施例の分解斜視図である。
【図４】上記第１実施例の下面側の構成を示す斜視図である。
【図５】本発明に係るユニットマニホールドバルブの第２実施例の要部分解斜視図である。
【図６】上記第２実施例の組立て状態の断面図である。
【図７】上記第２実施例のカバーの一部を除去した分解斜視図である。
【図８】上記第２実施例の外観を示す斜視図である。
【図９】上記第２実施例におけるカバーの一部を示す斜視図である。
【図１０】上記第２実施例における下面を示す斜視図である。
【符号の説明】
１，３１　マニホールドベース
２，３２　基盤
３，３３　電磁弁取付ボディ
４，３４　基板取付部
５　　電磁弁
５ｂ　給電端子
６，３６　基板組立体
６ａ，３６ａ　基板
６ｂ，３６ｂ　給電用コネクタ
６ｃ，３６ｃ　外部接続コネクタ
１１ａ，１１ｂ，４１ａ，４１ｂ　電磁弁取付面
１２ｐ，１２ｒ，１２ａ　開口
１３，１４，１５ａ，１５ｂ，４３，４４，４５ａ，４５ｂ　管接手
２０，５０　カバー
２２，６２　接手用プレート
【図１】
2004011858.tif 000003
【図２】
2004011858.tif 000004
【図３】
2004011858.tif 000005
【図４】
2004011858.tif 000006
【図５】
2004011858.tif 000007
【図６】
2004011858.tif 000008
【図７】
2004011858.tif 000009
【図８】
2004011858.tif 000010
【図９】
2004011858.tif 000011
【図１０】
2004011858.tif 000012